(57)【要約】【課題】ドレン水に、カビや菌が繁殖せずドレンポンプを詰まらせることなく、保護制御により冷凍サイクルの動作が止まらせないことを目的とする。【解決手段】冷媒を圧縮するための圧縮機１と、浴室を冷房および暖房するために冷媒回路を切り替える四方弁２と、浴室内から吸込み浴室内に吹き出す循環空気に放熱する第一熱交換器４と、冷媒を膨張するための膨張機構５と、通過する室内から屋外に排出する排気空気６から吸熱するための第二熱交換器７と、前記第二熱交換器７の下部にドレンポンプ８を有した第二ドレンパン９を設けた冷凍サイクルの構成であって、浴室の暖房運転時において、前記排気空気６を前記第二ドレンパン９に通過させたことにより、ドレン水に、カビや菌が繁殖せずドレンポンプ８を詰まらせることなく、保護制御により冷凍サイクルの動作が止まらせない換気空調装置を提供できる。【選択図】図１
2010107135.tif 000002
【特許請求の範囲】
【請求項１】
冷媒を圧縮するための圧縮機と、浴室を冷房および暖房するために冷媒回路を切り替える四方弁と、浴室内から吸込み浴室内に吹き出す循環空気に放熱する第一熱交換器と、冷媒を膨張するための膨張機構と、通過する室内から屋外に排出する排気空気から吸熱するための第二熱交換器と、前記第二熱交換器の下部にドレンポンプを有した第二ドレンパンを設けた冷凍サイクルの構成であって、浴室の暖房運転時において、前記排気空気を前記ドレンパンに通過させることを特徴とした換気空調装置。
【請求項２】
第二ドレンパンの表面を、Ｖ字形状の溝を設けたことを特徴とした請求項１記載の換気空調装置。
【請求項３】
第二ドレンパンの傾斜方向を、排気空気の風向きと同じ方向に設けたことを特徴とした請求項１または２記載の換気空調装置。
【請求項４】
第二ドレンパンの傾斜の表面に、撥水性材料を設けたことを特徴とした請求項３記載の換気空調装置。
【請求項５】
第二ドレンパンの傾斜の表面に、親水性材料を設けたことを特徴とした請求項３記載の換気空調装置。
【請求項６】
第二ドレンパンに、分岐流路を設けたことを特徴とした請求項１〜５のいずれかに記載の換気空調装置。
【請求項７】
第二熱交換器に、冷凍サイクルを停止した後に冷媒のホットガスを流すことを特徴とした請求項１記載の換気空調装置。
【請求項８】
圧縮機を、一定速の圧縮機を用いたことを特徴とした請求項１記載の換気空調装置。
【請求項９】
圧縮機を、インバーターの圧縮機を用いたことを特徴とした請求項１または８記載の換気空調装置。
【請求項１０】
浴室の冷房運転時において、第一熱交換器の下部に第一ドレンパンを設け、前記第一ドレンパンと第二ドレンパンをつなぐポンプを設けたことを特徴とした請求項１記載の換気空調装置。
【請求項１１】
浴室の冷房運転時において、第一ドレンパンと第二ドレンパンを、ひとつの第三ドレンパンにしたことを特徴とした請求項１０記載の換気空調装置。
【請求項１２】
浴室の冷房運転時において、第三ドレンパンを、第一熱交換器側から第二熱交換器側に向かい下方に傾斜させたことを特徴とした請求項１１記載の換気空調装置。
【発明の詳細な説明】
【技術分野】
【０００１】
本発明は、浴室換気空調装置のドレンパンにカビや菌の繁殖防止するためのドレンパンに関するものである。
【背景技術】
【０００２】
熱交換器の蒸発器側の表面には室内の空気中の水蒸気が凝縮し、ドレン水が発生し、このドレン水は、熱交換器の下方に配置されたドレンパンに貯留される。このドレンパン内の水に微生物が繁殖し、カビや菌が粘着をもったスライム状となり、ドレンパン内に広がる。このスライムは、ドレンパンからのドレン水を排出するためのドレンポンプにて屋外へ排出される。
【特許文献１】特開２０００−２８３５２５号公報
【発明の開示】
【発明が解決しようとする課題】
【０００３】
このような従来の換気空調装置では、ドレン水に、カビや菌が繁殖しスライム状となってドレンポンプ内に付着して結果詰まり、保護制御により冷凍サイクルの動作が止まるという課題がある。
【０００４】
本発明は、このような従来の課題を解決するものであり、ドレン水に、カビや菌が繁殖せずドレンポンプを詰まらせることなく、保護制御により冷凍サイクルの動作が止まらせない換気空調装置を提供することを目的とする。
【課題を解決するための手段】
【０００５】
本発明の換気空調装置は、上記目的を達成するために、冷媒を圧縮するための圧縮機と、浴室を冷房および暖房するために冷媒回路を切り替える四方弁と、浴室内から吸込み浴室内に吹き出す循環空気に放熱する第一熱交換器と、冷媒を膨張するための膨張機構と、通過する室内から屋外に排出する排気空気から吸熱するための第二熱交換器と、前記第二熱交換器の下部にドレンポンプを有した第二ドレンパンを設けた冷凍サイクルの構成であって、浴室の暖房運転時において、前記排気空気を前記ドレンパンに通過させるものである。
【０００６】
また、他の手段は、第二ドレンパンの表面を、Ｖ字形状の溝を設けたものである。
【０００７】
また、他の手段は、第二ドレンパンの傾斜方向を、排気空気の風向きと同じ方向に設けたものである。
【０００８】
また、他の手段は、第二ドレンパンの傾斜の表面に、撥水性材料を設けたものである。
【０００９】
また、他の手段は、第二ドレンパンの傾斜の表面に、親水性材料を設けたものである。
【００１０】
また、他の手段は、第二ドレンパンに、分岐流路を設けたものである。
【００１１】
また、他の手段は、第二熱交換器に、冷凍サイクルを停止した後に冷媒のホットガスを流すものである。
【００１２】
また、他の手段は、圧縮機を、一定速の圧縮機を用いたものである。
【００１３】
また、他の手段は、圧縮機を、インバーターの圧縮機を用いたものである。
【００１４】
また、他の手段は、浴室の冷房運転時において、第一熱交換器の下部に第一ドレンパンを設け、前記第一ドレンパンと第二ドレンパンをつなぐポンプを設けたものである。
【００１５】
また、他の手段は、浴室の冷房運転時において、第一ドレンパンと第二ドレンパンを、ひとつの第三ドレンパンにしたものである。
【００１６】
また、他の手段は、浴室の冷房運転時において、第三ドレンパンを、第一熱交換器側から第二熱交換器側に向かい下方に傾斜させたものである。
【発明の効果】
【００１７】
本発明によれば、冷媒を圧縮するための圧縮機と、浴室を冷房および暖房するために冷媒回路を切り替える四方弁と、浴室内から吸込み浴室内に吹き出す循環空気に放熱する第一熱交換器と、冷媒を膨張するための膨張機構と、通過する室内から屋外に排出する排気空気から吸熱するための第二熱交換器と、前記第二熱交換器の下部にドレンポンプを有した第二ドレンパンを設けた冷凍サイクルの構成であって、浴室の暖房運転時において、前記排気空気を前記ドレンパンに通過させることにより、ドレン水にカビや菌が繁殖せずドレンポンプを詰まらせることなく、保護制御により冷凍サイクルの動作が止まらせないという効果のある換気空調装置を提供することができる。
【００１８】
また、第二ドレンパンの表面を、Ｖ字形状の溝を設けたことにより、ドレン水をドレンパンのドレンだまりに導き、屋外へ排水することができ、カビや菌の繁殖を防止することができるという効果のある換気空調装置を提供することができる。
【００１９】
また、第二ドレンパンの傾斜方向を、排気空気の風向きと同じ方向に設けたことにより、ドレンパン上の水分を風によりドレン溜まり側で早く水分を移動させ、ドレンポンプで排出することでドレンパンを乾燥させ、カビや菌の繁殖を防止することができるという効果のある換気空調装置を提供することができる。
【００２０】
また、第二ドレンパンの傾斜の表面に、撥水性材料を設けたことにより、更にドレン水をドレンパンのドレンだまりに導き、屋外へ排水することができ、カビや菌の繁殖を防止することができるという効果のある換気空調装置を提供することができる。
【００２１】
また、第二ドレンパンの傾斜の表面に、親水性材料を設けたことにより、ドレン水を早く乾燥させ、屋外へ排水することができ、カビや菌の繁殖を防止することができるという効果のある換気空調装置を提供することができる。
【００２２】
また、第二ドレンパンに、分岐流路を設けたことにより、更にドレン水をドレンパンのドレンだまりに導き、屋外へ排水することができ、カビや菌の繁殖を防止することができるという効果のある換気空調装置を提供することができる。
【００２３】
また、第二熱交換器に、冷凍サイクルを停止した後に冷媒のホットガスを流すことにより、更にドレン水を早く乾燥させ、屋外へ排水することができ、カビや菌の繁殖を防止することができるという効果のある換気空調装置を提供することができる。
【００２４】
また、圧縮機を、一定速の圧縮機を用いたことにより、電装部品が少なくできメンテナンスがよく安価な装置でドレン水を早く乾燥させ、屋外へ排水することができ、カビや菌の繁殖を防止することができるという効果のある換気空調装置を提供することができる。
【００２５】
また、圧縮機を、インバーターの圧縮機を用いたことにより、更にドレン水を早く乾燥させ、屋外へ排水することができ、カビや菌の繁殖を防止することができるという効果のある換気空調装置を提供することができる。
【００２６】
また、浴室の冷房運転時において、第一熱交換器の下部に第一ドレンパンを設け、前記第一ドレンパンと第二ドレンパンをつなぐポンプを設けたことにより、冷房運転時において、ドレンレスすることができ、カビや菌の繁殖を防止することができるという効果のある換気空調装置を提供することができる。
【００２７】
また、浴室の冷房運転時において、第一ドレンパンと第二ドレンパンを、ひとつの第三ドレンパンにしたことにより、冷房運転時において、部品点数を少なくしつつ、ドレンレスすることができ、カビや菌の繁殖を防止することができるという効果のある換気空調装置を提供することができる。
【００２８】
また、浴室の冷房運転時において、第三ドレンパンを、第一熱交換器側から第二熱交換器側に向かい下方に傾斜させたことにより、冷房運転時において、部品点数を少なくしつつ、よりドレンレスすることができ、カビや菌の繁殖を防止することができるという効果のある換気空調装置を提供することができる。
【発明を実施するための最良の形態】
【００２９】
本発明の請求項１記載の換気空調装置は、冷媒を圧縮するための圧縮機と、浴室を冷房および暖房するために冷媒回路を切り替える四方弁と、浴室内から吸込み浴室内に吹き出す循環空気に放熱する第一熱交換器と、冷媒を膨張するための膨張機構と、通過する室内から屋外に排出する排気空気から吸熱するための第二熱交換器と、前記第二熱交換器の下部にドレンポンプを有した第二ドレンパンを設けた冷凍サイクルの構成であって、浴室の暖房運転時において、前記排気空気を前記ドレンパンに通過させることとしたものであり、第二熱交換器で発生したドレン水は第二ドレンパンに溜まり、第二熱交換器を吸熱するため屋外排気させる排気空気をドレンパンの表面に接触させ通過させてドレン水の蒸発を促進させるという作用を有する。
【００３０】
また、第二ドレンパンの表面を、Ｖ字形状の溝を設けたこととしたものであり、第二ドレンパンの表面のドレン水が、Ｖ字型に切った溝に集中しドレン溜まりに早く流れさせるという作用を有する。
【００３１】
また、第二ドレンパンの傾斜方向を、排気空気の風向きと同じ方向に設けたこととしたものであり、第二ドレンパンの傾斜をドレン溜まりに向かって低くし、排気空気を第二ドレンパンのドレン溜まり方向に向かって排気空気を流し、第二ドレンパンの表面に付着した水分をドレン溜まりに早く移動させるという作用を有する。
【００３２】
また、第二ドレンパンの傾斜の表面に、撥水性材料を設けたこととしたものであり、ドレン水が水玉となって第二ドレンパンの表面をころがりやすくなり、第二ドレンパンの傾斜に沿ってドレン溜まりに早く移動させるという作用を有する。
【００３３】
また、第二ドレンパンの傾斜の表面に、親水性材料を設けたこととしたものであり、ドレン水がドレンパンの表面に広がり、排気空気に接触されドレンパンの表面を乾きやすくさせるという作用を有する。
【００３４】
また、第二ドレンパンに、分岐流路を設けたこととしたものであり、第二ドレンパンのドレン溜まりに行く水路を分岐させることで、ドレン溜まりへのドレン水の流れが速くドレン溜まりに到達させるという作用を有する。
【００３５】
また、第二熱交換器に、冷凍サイクルを停止した後に冷媒のホットガスを流すこととしたものであり、冷凍サイクルを停止後に四方弁を反転させ、第二熱交換器にホットガスを流して第二熱交換器の温度を上昇させ、第二ドレンパンに溜まったドレン水を第二熱交換器の熱に接触させて蒸発させるという作用を有する。
【００３６】
また、圧縮機を、一定速の圧縮機を用いたこととしたものであり、冷媒サイクルに流れる冷媒の流量を一定にし、第二熱交換器の温度を安定した温度に保つことで、第二ドレンパンに溜まったドレン水が第二熱交換器の熱に接触させて蒸発させるという作用を有する。
【００３７】
また、圧縮機を、インバーターの圧縮機を用いたこととしたものであり、圧縮機の回転数を可変することで、第二熱交換器に流れるホットガスの温度を制御し、第二熱交換器の温度をより高く上昇させ、ドレンパンに溜まったドレン水を蒸発させるという作用を有する。
【００３８】
また、浴室の冷房運転時において、第一熱交換器の下部に第一ドレンパンを設け、前記第一ドレンパンと第二ドレンパンをつなぐポンプを設けたこととしたものであり、第一熱交換器で発生したドレン水を、第一ドレンパンからポンプを用いて、第二ドレンパンに移動させ、第二熱交換器は凝縮器であるため温度が高く、第二ドレンパンに溜まったドレン水は第二熱交換器の熱に接触して蒸発させるという作用を有する。
【００３９】
また、浴室の冷房運転時において、第一ドレンパンと第二ドレンパンを、ひとつの第三ドレンパンにしたこととしたものであり、第一ドレンパンと第二ドレンパンを１つにし、ポンプを無くして部品点数を減らすという作用を有する。
【００４０】
また、浴室の冷房運転時において、第三ドレンパンを、第一熱交換器側から第二熱交換器側に向かい下方に傾斜させたこととしたものであり、第一熱交換器で発生したドレン水は、第一ドレンパンから第二熱交換器側へ傾斜を設けているため、第二熱交換器の下部に流れ、第二熱交換器は凝縮器であるため温度が高く、第二ドレンパンに溜まったドレン水は第二熱交換器の熱に接触させて蒸発させるという作用を有する。
【００４１】
以下、本発明の実施の形態について、図面を参照しながら説明する。
【００４２】
（実施の形態１）
図１に示すように、冷媒を圧縮するための圧縮機１と、浴室を冷房および暖房するために冷媒回路を切り替える四方弁２と、浴室内から吸込み浴室内に吹き出す循環空気３に放熱する第一熱交換器４と、冷媒を膨張するための膨張機構５と、通過する室内から屋外に排出する排気空気６から吸熱するための第二熱交換器７と、前記第二熱交換器７の下部にドレンポンプ８を有した第二ドレンパン９を設けた冷凍サイクルの構成であって、浴室の暖房運転時において、前記排気空気６を前記第二ドレンパン９に通過させた構成とする。
【００４３】
上記構成により、第二熱交換器７で発生したドレン水は第二ドレンパン９に溜まり、第二熱交換器７を吸熱するため居室の空気を屋外へ排気させる排気空気６を利用し、第二ドレンパン９の表面に接触させながら通過させることでドレン水の蒸発を促進させることができる。
【００４４】
このように本発明の実施の形態１の換気空調装置によれば、居室の汚い空気を屋外へ排気しながら、第二ドレンパン９のドレン水を蒸発および第二ドレンパン９を乾燥することができるため、第二ドレンパン９のドレン水に、カビや菌が繁殖せずドレンポンプ８を詰まらせることなく、保護制御により冷凍サイクルの動作が止まらないため、連続運転が可能となる。
【００４５】
（実施の形態２）
図２に示すように、第二ドレンパン９の表面を、Ｖ字形状１０の溝を設けた構成とする。
【００４６】
上記構成により、第二熱交換器７で発生したドレン水は第二ドレンパン９の表面のＶ字形状１０に切った溝に集中しドレン溜まり１１に早く到達する。
【００４７】
このように本発明の実施の形態２の換気空調装置によれば、第二ドレンパン９はＶ字形状１０であるため、ドレン水はＶ字の傾斜でＶ字の溝の早く到達し、Ｖ字の溝に沿って、ドレン溜まり１１に早く到達するため、第二ドレンパン９の表面にドレン水の停滞時間が短く、カビや菌が繁殖する前にドレンポンプ８より屋外へ排水することができるので、カビや菌の繁殖を防止することができることとなる。
【００４８】
（実施の形態３）
図３に示すように、第二ドレンパン９の傾斜１２方向を、排気空気６の風向きと同じ方向に設けた構成とする。
【００４９】
上記構成により、第二ドレンパン９の傾斜１２をドレン溜まり１１に向かって低くし、排気空気６を第二ドレンパン９のドレン溜まり１１方向に向かって排気空気６を流し、第二ドレンパン９の表面に付着した水分をドレン溜まり１１に早く移動させる。
【００５０】
このように本発明の実施の形態３の換気空調装置によれば、第二ドレンパン９上のドレン水を排気空気６の風の力によりドレン溜まり１１側へ早くドレン水を移動させながら、第二ドレンパン９を乾燥させることができ、ドレンポンプ８で屋外へ排水するため、カビや菌の繁殖を防止することができることとなる。
【００５１】
（実施の形態４）
図４に示すように、第二ドレンパン９の傾斜の表面に、撥水性材料１３を設けた構成とする。
【００５２】
上記構成により、ドレン水が水玉となって第二ドレンパン９の表面をころがりやすくなり、第二ドレンパン９の傾斜に沿ってドレン溜まり１１に早く移動させる。
【００５３】
このように本発明の実施の形態４の換気空調装置によれば、第二ドレンパン９の表面に撥水性材料により、ドレン水が水玉になるため、第二ドレンパン９の表面でころころ転がり第二ドレンパン９表面に停滞する時間が短く、更にドレン水をドレンパンのドレン溜まり１１に導きやすくなるため、素早くドレンポンプ８で屋外へ排水するため、カビや菌の繁殖を防止することができることとなる。
【００５４】
（実施の形態５）
図５に示すように、第二ドレンパン９の傾斜の表面に、親水性材料１４を設けた構成とする。
【００５５】
上記構成により、ドレン水が第二ドレンパン９の表面に広がり、排気空気６に接触され第二ドレンパン９の表面を乾きやすくさせる。
【００５６】
このように本発明の実施の形態５の換気空調装置によれば、第二ドレンパン９の表面に親水性材料が塗布してあるため、ドレン水の表面積が大きくなり、排気空気６と接触する面積が大きくなるため、ドレン水を早く乾燥させることができるので、カビや菌の繁殖を防止することができることとなる。
【００５７】
（実施の形態６）
図６に示すように、第二ドレンパン９に、分岐流路１５を設けた構成とする。
【００５８】
上記構成により、第二ドレンパン９のドレン溜まり１１に行く水路を分岐させることで、ドレン溜まり１１へのドレン水の量が分かれて流れるのでドレン溜まりに早く到達する。
【００５９】
このように本発明の実施の形態６の換気空調装置によれば、ドレン水量が分かれてドレン溜まり１１に流れていくので、ドレン溜まり１１に溜まった水の抵抗で第二ドレンパン９の表面にドレン水が少なくなり、各分岐流路１５でドレン溜まり１１に到達するため、第二ドレンパン９の表面にドレン水が停滞せずに、ドレン水を第二ドレンパン９のドレン溜まり１１に導き、ドレン水にカビや菌が繁殖する前にドレンポンプ８で素早く屋外へ排水することができるため、カビや菌の繁殖を防止することができる。
【００６０】
（実施の形態７）
図７に示すように、第二熱交換器７に、運転状態を停止した後に圧縮機１から暖かい冷媒ガスのホットガス１６を流す構成とする。
【００６１】
上記構成により、運転状態を停止後に四方弁２を反転させ、圧縮機１から直接第二熱交換器７に暖かいホットガス１６を第二熱交換器７に流し温度を上昇させることで、第二ドレンパン９の周囲温度を上昇させ、第二ドレンパン９に溜まったドレン水を第二熱交換器７の熱で蒸発させ、排気空気６で蒸発した水分を屋外へは排出する。
【００６２】
このように本発明の実施の形態７の換気空調装置によれば、第二ドレンパン９のドレン水を蒸発しながら、排気空気６で蒸発した水分を屋外へ排出するので、第二ドレンパン９のドレン水を早く乾燥させ、カビや菌の繁殖を防止することができることとなる。また、第二ドレンパン９の周囲温度が高いためカビや菌が熱殺菌されることで繁殖の防止となる。
【００６３】
（実施の形態８）
図８に示すように、圧縮機１を、一定速圧縮機１７を用いた構成とする。
【００６４】
上記構成により、一定速圧縮機１７を用い、冷媒サイクルに流れる冷媒の流量が一定のため、膨張機構５を調節することで、第二熱交換器７の温度を安定した温度に保つことで、第二ドレンパン９の周囲温度も一定にし、第二ドレンパン９に溜まったドレン水が第二熱交換器７の熱に接触させて蒸発させる。
【００６５】
このように本発明の実施の形態８の換気空調装置によれば、第二ドレンパン９に溜まったドレン水を乾燥する乾燥時間が決まり、排気空気６を流す時間も決まるため、より確実に第二ドレンパン９を乾燥させることができる。また、一定速圧縮機１７を使用しているため、電装部品が少なくできメンテナンスがよく安価な装置でドレン水を早く乾燥させ、屋外へ排水することができ、カビや菌の繁殖を防止することができることとなる。
【００６６】
（実施の形態９）
図９に示すように、圧縮機を、インバーター圧縮機１８を用いた構成とする。
【００６７】
上記構成により、インバーター圧縮機１８の回転数を可変することで、第二熱交換器７に流れるホットガス１６の温度を制御し、第二熱交換器７の温度をより高く上昇させ、第二ドレンパン９に溜まったドレン水を蒸発させる。
【００６８】
このように本発明の実施の形態９の換気空調装置によれば、インバーター圧縮機１８を用いることで、圧縮機回転数を可変できるため、第二熱交換器７の温度を調節できるため、第二熱交換器７の周囲温度を調整できるため、第二ドレンパン９のドレン水を早く乾燥させ、屋外へ排水することができ、カビや菌の繁殖を防止することができることとなる。
【００６９】
（実施の形態１０）
図１０に示すように、浴室の冷房運転もできる機種の冷房運転時において、第一熱交換器４の下部に第一ドレンパン１９を設け、前記第一ドレンパン１９と第二ドレンパン９をつなぐポンプ２０を設けた構成とする。
【００７０】
上記構成により、冷房運転時は第一熱交換器４で蒸発器となりドレン水が発生し、第二熱交換器７は暖かい凝縮器となる。第一熱交換器４で発生したドレン水は第一ドレンパン１９に溜めながら第一ドレンパン１９からポンプ２０を用いて、第二ドレンパン９に移動させ、第二熱交換器７の温度が高い熱で、第二ドレンパン９に溜まったドレン水を蒸発させながら、排気空気で屋外へ排出する。
【００７１】
このように本発明の実施の形態１０の換気空調装置によれば、冷房運転を行いながら、第二ドレンパン９のドレン水を乾燥することができるため、ドレンレスすることができ、カビや菌の繁殖を防止することができることとなる。
【００７２】
（実施の形態１１）
図１１に示すように、浴室の冷房運転もできる機種の冷房運転時において、第一ドレンパン１９と第二ドレンパン９を、ひとつの第三ドレンパン２１にした構成とする。
【００７３】
上記構成により、第一ドレンパン１９と第二ドレンパン９を１つにし、ポンプ２０を無くして部品点数を減らす。
【００７４】
このように本発明の実施の形態１１の換気空調装置によれば、冷房運転時において、部品点数を少なくしつつ、ドレンレスすることができ、カビや菌の繁殖を防止することができることとなる。
【００７５】
（実施の形態１２）
図１２に示すように、浴室の冷房運転もできる機種の冷房運転時において、第三ドレンパン２１を、第一熱交換器４側から第二熱交換器７側に向かい下方に傾斜させた構成とする。
【００７６】
上記構成により、第一熱交換器４で発生したドレン水は、第一熱交換器４から第二熱交換器７側へ傾斜を設けているため、第二熱交換器７の下部に流れ、第二熱交換器７は凝縮器であるため温度が高く、第三ドレンパン２１に溜まったドレン水は第二熱交換器７の熱に接触させて蒸発させる。
【００７７】
このように本発明の実施の形態１２の換気空調装置によれば、冷房運転時において、冷房運転をしながら、ドレンレスすることができ、部品点数を少なくしつつ、カビや菌の繁殖を防止することができることとなる。
【産業上の利用可能性】
【００７８】
ドレンパンの構造及び、冷凍サイクルの凝縮器の熱と排気空気を用いて容易にドレンパンのドレン水を乾燥することができ、カビや菌の繁殖を防止できるため菌の発生や繁殖する装置に適用できる。
【図面の簡単な説明】
【００７９】
【図１】本発明の実施の形態１の換気空調装置の冷媒回路の上面概略図
【図２】本発明の実施の形態２の換気空調装置の構造を示す断面概略図
【図３】本発明の実施の形態３の換気空調装置の構造を示す断面概略図
【図４】本発明の実施の形態４の換気空調装置の構造を示す断面概略図
【図５】本発明の実施の形態５の換気空調装置の構造を示す断面概略図
【図６】本発明の実施の形態６の換気空調装置の構造を示す上面概略図
【図７】本発明の実施の形態７の換気空調装置の冷媒回路を示す上面概略図
【図８】本発明の実施の形態８の換気空調装置の冷媒回路を示す上面概略図
【図９】本発明の実施の形態９の換気空調装置の冷媒回路を示す上面概略図
【図１０】本発明の実施の形態１０の換気空調装置の冷媒回路を示す上面概略図
【図１１】本発明の実施の形態１１の換気空調装置の冷媒回路を示す上面概略図
【図１２】本発明の実施の形態１２の換気空調装置の構造を示す断面概略図
【符号の説明】
【００８０】
１    圧縮機
２    四方弁
３    循環空気
４    第一熱交換器
５    膨張機構
６    排気空気
７    第二熱交換器
８    ドレンポンプ
９    第二ドレンパン
１０  Ｖ字形状
１１  ドレン溜まり
１２  傾斜
１３  撥水性材料
１４  親水性材料
１５  分岐流路
１６  ホットガス
１７  一定速圧縮機
１８  インバーター圧縮機
１９  第一ドレンパン
２０  ポンプ
２１  第三ドレンパン
【図１】
2010107135.tif 000003
【図２】
2010107135.tif 000004
【図３】
2010107135.tif 000005
【図４】
2010107135.tif 000006
【図５】
2010107135.tif 000007
【図６】
2010107135.tif 000008
【図７】
2010107135.tif 000009
【図８】
2010107135.tif 000010
【図９】
2010107135.tif 000011
【図１０】
2010107135.tif 000012
【図１１】
2010107135.tif 000013
【図１２】
2010107135.tif 000014